(57)【要約】【課題】  複数の植木鉢を周設した吊り具を上下方向に一段又は複数段連設して吊り下げることにより、植木鉢に植え込まれた草花を立体的に展示して観賞できる懸垂式植木鉢を提供する。【解決手段】  金属製リンクチェーンを連結した上部吊り金具と前記リンクチェーンを連結可能にした下部吊り金具とを備えた吊り具と、前記吊り具に引掛けるフツクを外周面に単数又は複数個備えた複数の植木鉢と、から構成されることを特徴とする。【選択図】図１
0003110723.tif 000002
【実用新案登録請求の範囲】
【請求項１】
金属製リンクチェーンを連結した上部吊り金具と該リンクチェーンを連結可能にした下部吊り金具とを備えた吊り具と、該吊り具に引掛けるフックを備えた複数の植木鉢と、から構成されることを特徴とする懸垂式植木鉢。
【請求項２】
請求項１記載の懸垂式植木鉢が前記吊り具を介して複数段上下に連設された構成からなることを特徴とする懸垂式植木鉢。
【請求項３】
前記植木鉢が、合成樹脂製であつて、外周面に下方に開口するフツクを単数又は複数個形成した構成からなることを特徴とする請求項１又は２に記載の懸垂式植木鉢。
【請求項４】
前記植木鉢が外周面に小開口群からなる単数又は複数の開口部を形成した構成からなることを特徴とする請求項３に記載の懸垂式植木鉢。
【請求項５】
前記吊り具が、合成樹脂製であって、函体を有し、かつ、該函体の３以上の複数の側面に引掛け部を形成し、また、函体内に内壁と連接した複数の隔壁の中心部に吊り金具が螺合する吊り金具受が一体に成型された構成からなることを特徴とする請求項ｌ又は２に記載の懸垂式植木鉢。
【考案の詳細な説明】
【技術分野】
【０００１】
本考案は、複数の植木鉢を周設した吊り具を上下方向に一段又は複数段連設して吊り下げることにより、植木鉢に植え込まれた草花を立体的に展示して観賞できる懸垂式植木鉢に関するものである。
【背景技術】
【０００２】
従来、庭や鉢植え込みなどで草花を観賞することが多く行われている。中でも鉢植えは、庭がない場合とか、余り日が当たらない庭又は庭土が余り良くない庭の場合でも、鉢植えだとどんな場所でも植えられるし、また、鉢やコンテナに草花を植えることにより誰でも気軽に観賞できるからである。これら鉢植えの中で、通常飾れない場所に飾れるとか、空間の有効利用が可能ということから吊り鉢式の鉢植えが流行している。この吊り鉢方式で、鉢の大きさに左右されない吊り鉢の先行技術が開示されている。（特許文献１参照）
【特許文献１】特開２００ｌ−１３７０９６号公報
【考案の開示】
【考案が解決しようとする課題】
【０００３】
しかし、従来の吊り鉢方式にであれば、一鉢のみを吊り下げるので、鉢植えの花が空間にはあるが、立体的に観賞できるとはいえず、また、寄せ植えに関しては、一鉢に何種類の草花を植え込むには、それぞれ育成の違いもあって難しさがある等の問題があった。
【０００４】
本考案は、上記の問題点を解消するために為したものであって、その目的は、複数の植木鉢を周設した吊り具を上下方向に一段又は複数段連設して吊り下げることにより、植木鉢に植え込まれた草花を立体的に展示して観賞できる懸垂式植木鉢を提供するものである。
【課題を解決するための手段】
【０００５】
本考案（請求項ｌ）に係る懸垂式植木鉢は、金属製リンクチェーンを連結した上部吊り金具と該リンクチェーンを連結可能にした下部吊り金具とを備えた吊り具と、該吊り具に引掛けるフツクを備えた複数の植木鉢と、から構成されることを特徴とする。また、本考案（請求項２）に係る懸垂式植沐鉢は、請求項１記載の懸垂式植木鉢が前記吊り具を介して複数段上下に連設された構成からなることを特徴とする。
【０００６】
本考案によれば、一個の吊り具に複数の植木鉢を平面的に配置した懸垂式植木鉢を複数段連設することができるから、空間を有効利用して植木鉢を多数設置できるし、また、設置面積を多く要することなしに、草花を植え込んだ植木鉢群を立体的に観賞することができる。また、リンクチェーンと吊り金具との組み合わせにより、上下に連接した複数段の懸垂式植木鉢間の間隔調整が容易にできる。
【０００７】
また、本考案（請求項３）に係る懸垂式植木鉢は、請求項１又は２に記載の懸垂式植木鉢において、前記植木鉢が、合成樹脂製であって、外周面に下方に開口するフックを単数又は複数個形成した構成からなることを特徴とする。また、本考案（請求項４）に係る懸垂式植木鉢は、請求項３に記載の懸垂式植木鉢において、前記植木鉢が外周面に小開口群からなる単数又は複数の開口部を形成した構成からなることを特徴とする。
【０００８】
また、本考案によれば、植木鉢を吊り具にフックで引っ掛けている構成であるから、吊り具からの取り外しが容易で、植木鉢一個の単位で草花の展示を入れ替えることや草花の育成に適した場所への移動ができる。また、植木鉢が軽量の合成樹脂製であるとともに、その外周面に小開口群からなる単数又は複数の開口部を形成しているから植木鉢の軽量化が図られ、懸垂式植木鉢の連接した設置において、重量負担が軽減されて連接段数を増加し易い。また、小開口部は、その場所にある草花の根の状態や、水分、土の状態の観察を容易にするし、そこへ水分、空気、肥料を施すことも可能である。
【０００９】
また、本考案（請求項５）に係る懸垂式植木鉢は、請求項ｌ又は２に記載の懸垂式植木鉢において、前記吊り具が、合成樹脂製であって、函体を有し、かつ、該函体の３以上複数の側面に引掛け部を形成し、また、函体内に内壁と連接した複数の隔壁の中心部に吊り金具が螺合する吊り金具受が一体に成型された構成からなることを特徴とする。
【００１０】
また、本考案によれば、各植木鉢の取り外しが引っ掛ける構造を持つ吊り具であるから、草花の植え込まれた植木鉢の入れ替えが容易で保守がし易く、植木鉢の吊り数の増
滅も容易である。また、懸垂式植木鉢を上下に連設した場合に、植木鉢等の重量をリンクチェーン、吊り金具、吊り金具受けを介して負担するが、いずれも金属製で強度があるから、重量面て連設する段数が制限されることがないし、落下を防止することができて安全である。
【考案の効果】
【００１１】
以上説明したように、本考案に係る懸垂式植木鉢は、庭以外でも、また、庭が無くても空間を利用して、立体的に配置された植木鉢の鉢植えの草花を観賞できる。また、懸垂式植木鉢は長さの調節ができるリンクチェーンで吊り下げられているので、設置場所の選択及び移動が容易で、かつ、懸垂式植木鉢の連設段数及びその間隔の調整が容易だから、家の中からとか、外に向けての展示の自由度が大きい。また、これら連設された懸垂式植木鉢の展示、観賞の規模も大きいのから小さい規模のものまで容易に対応することができる。また、吊り具を中心に植木鉢を周設しているので、一鉢毎に一品種を育成して、育成を容易にするとともに、寄せ植えの見栄えを発揮することもできる。また、植木鉢自体は軽量で、合成樹脂製だから色彩、形状の選択に自由度があり、また、鉢植えの品種の入れ替えが、鉢の入れ替えとともに客易に自由にできるから、展示の選択幅が広く取れる。しかも、植木鉢を草花の育成に適した場所への移動もし易い。また、植木鉢の外周面にある開口部から育成の良し悪しの診断がし易く、育成の処置もし易い利点を有する。
【考案を実施するための最良の形態】
【００１２】
以下、本考案の実施するための最良の形態を図面に基づいて説明する。図ｌは、本考案の実施するための最良の形態に係る懸垂式植木鉢の全体斜視図である。図２は、本考案の実施するための最良の形態に係る懸垂式植木鉢の吊り具の斜視図（ａ）、Ａ−Ａ線断面図（ｂ）、Ｂ−Ｂ線断面図（ｃ）である。図３は、本考案の実施するための最良の形態に係る懸垂式植木鉢の斜視図（ａ）、平面図（ｂ）、Ａ一Ａ線断面図（ｃ）である。図４は、本考案の実施するための最良の形態に係る懸垂式植木鉢の使用状態図である。図５は、本考案の実施するための最良の形態に係る懸垂式植木鉢の別の使用状態図である。
【００１３】
本考案の実施するための最良の形態に係る懸垂式植木鉢ｌについて図ｌに基づいて説
明すると、懸垂式植木鉢ｌは、吊り上げ用リンクチェーン１０と上部吊り金具２ａと下部吊り金具２ｂを含む吊り具２と、該吊り具２の周りに引っ掛けられた４個の植木鉢１１と、から構成される。また、図１は、懸垂式植木鉢１を二組上下に連設した状態を示していて、上部から吊り下げられたリンクチェーン１０が上部吊り金具２ａに繋がって吊り具２を懸垂し、さらに、該上部吊り金具２ａは吊り具２中の吊り金具受７（図示していない）を介して下部吊り金具２ｂと繋がり、さらに、該下部吊り金具２ｂは下段のリンクチェーン１０と繁がる。このように複数の植木鉢１１の荷重は吊り具２を介して吊り金具２ａ、２ｂとリンクチェーン１０にて吊り下げられるので、複数の懸垂式植木鉢１は吊り具２とリンクチェーン１０を介して複数段吊り下げることが可能となる。また、これらの荷重は、前記リンクチエーンｌ０と吊り金具２ａ、２ｂと吊り金具受７が金属製で強度が高いので十分負荷を掛けることができる。また、リンクチェーン１０のリンクを吊り金具２ａ、２ｂの鉤状のフックに引っ掛けて繋がっているので、引っ掛けるリンクの位置により懸垂式植木鉢１間の間隔を容易に調節できる。
【００１４】
図２に本実施形態における吊り具２を示すが、吊り具２は、４ケ所の側面を持つ下面が開口した逆升状の函体５と、該函体５の各側面下端で繋がり、かつ、端部が凹状円弧状端４ａをなす張り出し部４と、函体５の各側面下部に付設され、かつ、植木鉢ｌｌのフック１３を引掛ける凹部３ａを有した引掛け部３と、函体５の４ケ所の側面裏の内壁に連接した４枚の隔壁６と、隔壁が集合した中心部に埋設された吊り金具受７と、から構成される。該吊り具２は金属製吊り金具受７を中心部に中子のように置いて、合成樹脂を使って一体成型で製作される。この場合、金属製吊り金具受７は円筒形状を有し、その外表面は合成樹脂との接着強度を高めるために粗目であり、内面は吊り金具２ａ、２ｂと螺合するねじが刻まれている。
【００１５】
また、引掛け部３は、断面が長方形の空洞を有する四角筒であって、その金具側の側面は函体５の側面を共有し、その対面である植木鉢１１のフック１３が引っ掛かる面の高さは両端の側面よりも低くして凹部３ａとなし、フック１３を安定して引掛け易い形状としている。また、四角筒の下端部は周りを張り出し部４と連接されているから、引掛け部３は植木鉢１１の重量を十分支待し得る強度を持つ構造となっている。また、張り出し部４の円弧状端面４ａは植木鉢１１の外周面１４の上部と接触する構造を取っているので、引掛け部３と張り出し部４の円弧状端面４ａとの協同作用により植木鉢１１の重量を十分負担することができる。また、上下の吊り金具２ａ，２ｂば金属製品であり、リンクチェーン１０を引掛ける部分は鉤状のフック形状をなし、根元部はねじが刻まれていて金属製吊り金具受７のねじ受と螺合する構造となっている。したがって、上下に連設された複数の懸垂式植木鉢ｌの荷重を十分負担することができる。
【００１６】
吊り具２は、複数の植木鉢１１の荷重を引掛け部３と張り出し部４を介してリンクチェーン１０に総荷重を負担させる役目から、材質は高強度で、亀裂又は引き裂き抵抗の大きい材質であるポリプロピレン系樹脂等の合成樹脂が用いられ、一体成型で製作される。本実施形態の吊り具２の大きさは、函体５が縦、横約５ｃｍ、高さ約３．５ｃｍであって、張り出し部４の張り出し方向に約２．５ｃｍである。
【００１７】
図３に示すように、植木鉢１１は、下細りの外周面１４を有する円錐筒形状であって、上部は下向けに開口したフック１３を一個備えた環状部１２と、複数の小開口からなる２ケ所の開口部１６を有する外周面１４と、水抜き穴１７を有する底面とから構成され、合成樹脂製で一体成型されている。合成樹脂としては、軽量で、強度がある点で、ポリプロピレン系のプラスチック材が採用され、植木鉢１１の金型を用い、射出成型法で製作される。また、プラスチック製であるので、色彩は自由に選択できる。本例では、植木鉢１１の大きさは環状部の外径が約１４ｃｍ、外周面１４下端の外径が約１０ｃｍ、全高は約１６ｃｍである。なお、フック１３は一個のものを図示しているが、複数個備えてあってもよい。また、外周面１４も直円筒面であってもよい。
【００１８】
また、植木鉢１１は、吊り具２に引掛けて懸垂されるから、栽培用の養土を含めた重量の大部分がフツク１３を介して吊り具２の引掛け部３に掛り、一部の重量の回転モーメントが植木鉢１１の外周面１４の上部で吊り具２の張り出し部４の円弧状端面４ａと接触して負担させる構造となっている。
【００１９】
また、植木鉢１１に複数の小開口からなる開口部１６を設けているのは、植木鉢１１の軽量化に寄与するとともに、植え込まれた草花等植物３０の根の育成状況及び養土、水の状況が内眼で確認できるので、植物３０の育成状況を把握し易い。また、根に対する水、肥料又は空気の補給孔の役目を果たすこともできる。小開口部又は開口部１６の大きさと数は、本図にこだわることなく、植物３０に合わせて自由に設計できる。また、養土の洩れ、水分の蒸発等の問題がある時には開口部１６をビニールシート、濡れ新聞等で覆う対処も可能である。
【００２０】
懸垂式植木鉢１の使用状態について図４、図５に示しているように、図４では、吊り具２に４個の植木鉢１１を引っ掛けた懸垂式植木鉢１を上下に４段連設して、吊り下げ金具２０から吊り下げ、草花等の植物３０を展示している。本考案に係る懸垂式植木鉢１は、前述したように吊り下げ重量に対応する強度を有しているので、このような連設で設置面積が少なくても、空間を有効に利用して立体的に草花３０を展示できるので、従来にない様式で草花植物３０や観葉植物３０の観賞が可能となる。
【００２１】
また、植木鉢１ｌを入れ替えるための取り外しが可能となっているから、展示する植物３０の植木鉢１１を入れ替えたり、または、植物に適した別の場所で育成したものを見ごろになった頃に、吊り具２に移設して展示することもできるので、植木鉢１１での植物３０の展示及び育成面で作業が容易であるとともに、作業の選択する自由度も大きい。また、懸垂式植木鉢ｌはリンクチェーン１０を介して連設しているから、連設する懸垂式植木鉢ｌの段数の増滅も容易であり、連接する懸垂式植木鉢１間の間隔も調整が容易で、展示の姿が自由に変えられ、観賞の幅が広がる利点が有る。懸垂式植木鉢１の吊り下げ場所の変更も、吊り金具２０に付け替えるだけであり、場所変更の作業も容易で、ひいては、場所の選択もし易い。
【００２２】
図５は、４個用植木鉢ｌｌの吊り具２を使った壁際に設置する例を表しており、植木鉢１１を２個重量分配に考慮して吊り具に対称に配置したものである。また、図示していないが、植木鉢１１を３個吊り具２に引掛け、引っ掛けてない側を壁側にして設置することもできる。この際重量バランスが崩れリンクチェーン１０が傾くが、壁側に凭れさせて吊り下げることもできる。
【００２３】
本使用例では、植木鉢１１の４個用吊り具２の場合を説明したが、本考案は本例に拘束されることなく、２個、６個、８個であっても、吊り具２の函体５を変えることにより懸垂式植木鉢１として実施可能である。この場合、植木鉢１１群の吊り荷重のバランスがリンクチェーン１０に対して偏れば、リンクチェーン１０が垂直にならず、傾くので、吊り具２への荷重負担が偏る問題と、見栄えが悪くなる点に留意する必要が有る。
【産業上の利用可能性】
【００２４】
草花等の植物や観葉植物等の観賞に美観を与えるので、園芸分野で利用できる。
【図面の簡単な説明】
【００２５】
【図１】本考案の実施するための最良の形態に係る懸垂式植木鉢の全体斜視図である。
【図２】本考案の実施するための最良の形態に係る懸垂式植木鉢の吊り具の斜視図（ａ）、Ａ一Ａ線断面図（ｂ）、Ｂ一Ｂ線断面図（ｃ）である。
【図３】本考案の実施するための最良の形態に係る懸垂式植木鉢の斜視図（ａ）、平面図（ｂ）、Ａ−Ａ線断面図（ｃ）である。
【図４】本考案の実施するための最良の形態に係る懸垂式植木鉢の使用状態図である。
【図５】本考案の実施するための最良の形態に係る懸垂式植木鉢の別の使用状態図である。
【符号の説明】
【００２６】
１：懸垂式植木鉢        ２：吊り具        ２ａ、２ｂ：吊り金具
３：引掛け部      ３ａ：凹部      ４：張り出し部    ４ａ：円弧状端面
５：函体    ６：隔壁    ７：吊り金具受け        １０：リンクチェーン
１１：植木鉢      １２：環状部      １３：フック    １４：外周面
１５：底板          １６：開口部          １７水抜き穴
２０：吊り下げ金具      ３０：植物
【図１】
0003110723.tif 000003
【図２】
0003110723.tif 000004
【図３】
0003110723.tif 000005
【図４】
0003110723.tif 000006
【図５】
0003110723.tif 000007